(57)【要約】【課題】防犯ブザー全体の小型化を図る。【解決手段】鼓型の共鳴室１３と吹き口１４との間に気路１５を設け、その気路１５と共鳴室１３の境に開口１６を設けたホイッスル部１１の前記共鳴室１３の内壁にブザー部１２を設け、そのブザー部１２の振動がホイッスル部１１の共鳴室１３に伝達し、共鳴を利用して大きな警報音を効率よく発するようにして、ブザー部１２の小型化を図り、防犯ブザー全体の小型化を図る。【選択図】図１
2007264103.tif 000002
【特許請求の範囲】
【請求項１】
ブザーをホイッスルの共鳴室に接するように配置し、あるいはブザーをホイッスルの共鳴室へ通路を介して配置して、前記共鳴室がブザーの振動で共鳴するようにした防犯ブザー。
【請求項２】
上記ブザーの振動数とホイッスルの共鳴室の固有振動数とが一致するようにした請求項１に記載の防犯ブザー。
【発明の詳細な説明】
【技術分野】
【０００１】
この発明は、ブザーの音量アップにホイッスルの共鳴室を利用した防犯ブザーに関するものである。
【背景技術】
【０００２】
防犯用のグッズとして、例えば（特許文献１）のような、ホイッスルを備えた防犯用の警報器がある。このものは、図８（ａ）に示すように、警報手段１として音声発生手段と発光手段を備えたケース２に、ホイッスル３を抜き差しできるように取り付けたもので、図８（ｂ）のように、ホイッスル３をケース２から抜き取ることにより警報手段１が作動する。こうして、抜き取ったホイッスル３を警報手段１のスイッチとして用いることで、ケース２が破壊されても抜き取ったホイッスル３を吹けば警報機能を維持できるというものである。
【０００３】
ところで、上記のような防犯用に使うものでは、警報手段１の警報音は大きくて、より遠くまで聞こえる方が良い。そのため、例えば、上記のものでは、２個のスピーカー４を設けるようにしている。
【０００４】
【特許文献１】特開平１１−２４２７８２号公報
【発明の開示】
【発明が解決しようとする課題】
【０００５】
しかしながら、上記のものでは、２個のスピーカーを備えた上に、ホイッスルを備えているので、ケースが大きくなってしまう。また、その際、出力音を大きくするために、電池も比較的大きなものを内蔵しているので、重量も重くて携帯用としては問題がある。
【０００６】
そこで、この発明の課題は、効率よく大きな警報音を発せられるようにして警報手段の小型化を図り、省電力を図って電池の小型化を図り、ブザー全体の小型化を図ることである。
【課題を解決するための手段】
【０００７】
上記の課題を解決するため、この発明では、ブザーをホイッスルの共鳴室に接するように配置し、あるいはブザーをホイッスルの共鳴室へ通路を介して配置して、前記共鳴室がブザーの振動で共鳴するようにした構成を採用したのである。
【０００８】
このような構成を採用したことにより、非常時にブザーを使用した場合は、ブザーの振動がホイッスルの共鳴室に伝えられ、共鳴してブザー単体の時よりも大きな音が出力される。このとき、ブザーの振動数とホイッスルの共鳴室の固有振動数が近ければ、より大きな共鳴を得て大きな音を出力することができる。
【０００９】
その際、ブザーの振動数とホイッスルの共鳴室の固有振動数とが一致するようにした構成を採用すれば、より大きな共鳴を得ることができるので、効率的に大きなブザー音を出力することができる。
【００１０】
また、非常時に、例えばブザーが電池切れなどで使用できなくなった場合は、ホイッスルを吹いて知らせることができる。
【発明の効果】
【００１１】
この発明は、以上のように構成したことにより、警報音を大きくし、かつ、防犯ブザーの小型軽量化を図ることができる。
【発明を実施するための最良の形態】
【００１２】
以下、この発明を実施するための最良の形態を図面に基づいて説明する。
【００１３】
図１及び図２（ａ）、（ｂ）に示すように、この形態の防犯ブザー１０はホイッスル部１１とブザー部１２とで構成されている。
【００１４】
ホイッスル部１１は、鼓型の共鳴室１３と吹き口１４との間に気路１５を設け、その気路１５と共鳴室１３の境に開口１６を設けた構造のものである。また、前記共鳴室１３の背部にはジャック１７を設けて、そのジャック１７にピン１８を差し込んだ形状となっている。
【００１５】
ブザー部１２は、例えば図３に示すような、圧電振動板を持つ圧電サウンダに自励発振回路を組合せて一体化した自励式の圧電ブザーである。ちなみに、この形態では、直径１７ｍｍ、厚さ４ｍｍ、動作電圧３Ｖ〜１５Ｖのものを使用している。
【００１６】
また、この形態では、前記ブザー部１２を図２（ｂ）のように、共鳴室１３の内壁に取り付けている。こうすることで、ブザー部１２とホイッスル部１１の共鳴室１３とが接するようにして、ブザー部１２の振動がホイッスル部１１の共鳴室１３に伝えられ、ブザー部１２が単体の時よりも大きな音が出力されるようにしてある。このとき、ブザー部１２の振動数は、ホイッスル部１１の共鳴室１３の固有振動数と一致するような近いものを採用している。
【００１７】
このブザー部１２は図４のようにスイッチ付きのピンジャック１７を介して電池１９と接続されており、ピン（絶縁）１８を引き抜くとジャック１７の接点がオンしてブザー部１２が作動するようになっている。
【００１８】
電池１９は、この形態の場合、例えばコイン型のリチウム電池を用いており、図２（ｂ）のように、共鳴室の上方に部屋を設けて収容するようにしてある。こうして、共鳴室１３と分離することで、共鳴に支障がでないようにしてある。
【００１９】
なお、符号２０はクリップで、クリップ２０を使って衣服や鞄などに把持できるようにしてある。
【００２０】
この形態は、上記のように構成されており、この防犯ブザー１０は、ジャック１７にピン１８をセットした状態で携行する。
【００２１】
そして、緊急時にホイッスル部１１をもってピン１８を引き抜くようにすると（抜け切らない場合でも接点がオンするようなものでも可）、ジャック１７の接点がオンしてブザー部１２と電池とが接続し、ブザー部１２が鳴動する。その振動は、ホイッスル部１１の共鳴室１３で共鳴し、ブザー部１２が単体の時よりも大きな音を出力することになる。その際、ブザー部１２の振動数とホイッスル部１１の共鳴室１３の固有振動数とが一致するようにしてあるので、より大きな共鳴を得て、ブザー音をより遠くまで届かせることができる。
【００２２】
一方、この防犯ブザー１０は、ブザーを使わないで、ホイッスル部１１の吹き口から息を吹き込んでホイッスルとして使用することもできる。こちらは、電池１９が無くとも使用できるので、例えば災害時に倒壊した家屋に閉じ込められて、電池が無くなった場合でも使用できる。
【００２３】
このように、共鳴を利用して大きな警報音を効率よく発することができるので、ブザー部１２も小型のものでも良く、警報手段の小型化を図ることができる。また、共鳴を利用して効率よく警報音を発することから省電力なので、電池１９も小型のものを採用して防犯ブザー１０自体の小型化を図ることができるので、携帯用として最適である。
【実施例１】
【００２４】
この実施例１は、ブザー部１２と電池１９及びジャック１７の配置の態様を示すものである。図５は、ブザー部１２を共鳴室１３の外側面に通路２１を設けて配置し、前記通路２１を介して共鳴室へ振動を伝えるようにしたものである。
【００２５】
また、電池１９は、図５のように、この実施例１では、共鳴室１３の側面に部屋を設けて収容するようにしてある。さらに、その電池の下方に部屋を設けてジャック１７を配置し、ピン１８を側方から突出するようにしてある。
【００２６】
図６（ａ）、（ｂ）に、図５の他の態様を示す。図６（ａ）はブザー部１２をホイッスル部１１の横から突出させ、ブザー部１２が通路２１を介してホイッスル部１１の共鳴室１３に接するようにしたものである。図６（ｂ）は、ブザー部１２を吹き口１４の下方に設けたものである。
【００２７】
これ以外にもブザー部１２は、共鳴室１３内外の底面や上面など振動が共鳴室１３へ伝わるところであれば、どこに設けても良い。
【００２８】
これらのブザー部１２、電池１９、ジャック１７の配置は組み合わせることができる。例えば、図７のように複数の電池１９をソケットで取り付けたり、通路２１を介して接するブザー部１２と共鳴室１３とをホイッスル部１１内に設けたりすることもできる。
【産業上の利用可能性】
【００２９】
防犯用のブザーとしての利用の他に、例えば倒壊した家屋に閉じ込められて、電池が無くなった場合でもホイッスルとして使用することもできるので、災害用としても利用できる。
【図面の簡単な説明】
【００３０】
【図１】実施形態の斜視図
【図２】（ａ）図１の横断面図、（ｂ）図１の縦断面図
【図３】ブザーの斜視図
【図４】実施形態の回路図
【図５】実施例１の一部横断面図
【図６】（ａ）実施例１の他の態様の横断面図、（ｂ）実施例１の他の態様の縦断面図
【図７】実施例１の他の態様の横断面図
【図８】（ａ）従来例の作用説明図、（ｂ）従来例の作用説明図
【符号の説明】
【００３１】
１０  防犯ブザー
１１  ホイッスル部
１２  ブザー部
１３  共鳴室
２１  通路
【図１】
2007264103.tif 000003
【図２】
2007264103.tif 000004
【図３】
2007264103.tif 000005
【図４】
2007264103.tif 000006
【図５】
2007264103.tif 000007
【図６】
2007264103.tif 000008
【図７】
2007264103.tif 000009
【図８】
2007264103.tif 000010